(57)【特許請求の範囲】
【請求項１】
頭部のコード情報を読み取る読取ヘッド部と底部の充電端子を有する充電端子部とを本体把持部で連結して成るコードリーダと、前記読取ヘッド部を受容するヘッド受部と、前記充電端子と当接する端子を内部に備え前記充電端子部を受容する端子受部を夫々基体の前方及び後方に配設して成る充電台とにより構成されたコード読取装置において、前記コードリーダにおける前記読取ヘッド部の両側部に係止用突起を設ける一方、前記充電台における前記ヘッド受部の両側壁の内面に前記係止用突起が係合する係合溝を設けて構成したことを特徴とするコード読取装置。
【請求項２】
前記充電台の前記ヘッド受部は前壁が除去され、前方が開放されて形成されていることを特徴とする請求項１に記載のコード読取装置。
【請求項３】
前記充電台の端子受部における後壁の内面側に前記充電端子部に設けられた係止部と係合するフック部材が設けられていることを特徴とする請求項１又は２に記載のコード読取装置。
【請求項４】
前記充電台の係合溝は前記コードリーダの係止用突起をスライドして差し込めるように形成されていることを特徴とする請求項１ないし３のいずれかに記載のコード読取装置。
【発明の詳細な説明】
【技術分野】
【０００１】
本発明は、携帯型の情報読取端末（以下、「コードリーダ」という）を充電台にセットして充電を行うコード読取装置に関する。
【背景技術】
【０００２】
コード読取装置は、例えば製品や部品の番号、商品名、価格その他の情報を白黒等の縞模様で記号化した１次元コードや２次元コード等のコードをコードリーダにより光学的に読み取る装置で、工場や商店、あるいは流通業界等の広い分野で使用されている。このコードリーダは充電式となっており、内蔵するバッテリィの容量がなくなると充電をする必要がある。この充電には充電台が用いられ、コードリーダを充電台にセットし、コードリーダの充電用端子を充電台の充電用の端子に接触させて充電が行われる。
【０００３】
図７〜図９は、従来、一般に知られ、使用されているコード読取装置１００の説明図で、図７はコード読取装置１００の充電前の状態、すなわちコードリーダ１１０を断面図で示す充電台１２０にセットする前の状態の正面図、図８は両者をセットして充電を行う状態を示す正面図、図９は図７のＡ−Ａ矢視図、すなわち充電台１２０の上面図である。
【０００４】
このコード読取装置１００におけるコードリーダ１１０は、情報読取窓１１４を介して読み取ったコード情報を処理する手段を内蔵する読取ヘッド部１１１と、下側にトリガー１１５を有する本体把持部１１２と、内蔵するバッテリィ１１７に接続された充電端子１１６を底部に有する充電端子部１１３とから成り、各部は夫々上ケース１１１ｃ、本体ケース１１２ｃ、下ケース１１３ｃによって被覆されている。
【０００５】
一方、充電台１２０は、基体１２１の一端（前方）側にコードリーダ１１０の読取ヘッド部１１１を受容するヘッド受部１２２を、他端（後端）側にはコードリーダ１１０の充電端子部１１３を受容する端子受部１２３を夫々備えて成っている。
【０００６】
ヘッド受部１２２は、基体１２１の前壁１２１ａ、両側壁１２１ｂ、及び凹部１２１ｃによって形成され、同様に、端子受部１２３は、基体１２１の後壁１２１ｄ、両側壁１２１ｅ、及び凹部１２１ｆによって形成されている。端子受部１２３側においては、後壁１２１ｄの内面に電源コード１２４に接続する充電用の端子１２５が露出して設けられ、両側壁１２１ｅの内面には充電端子部１１３の側面、すなわち下ケース１１３ｃの側部表面を図示しない圧縮バネの力により押圧保持する押圧部材１２６が設けられている。このように構成された充電台１２０は、基体１２１に透設されたネジ穴１２１ｇを介してネジ止めされることにより卓上あるいは壁等に固定される。
【０００７】
以上のように構成された従来のコード読取装置１００において、コードリーダ１１０の充電を行う場合には、本体把持部１１２を把持して図７の矢印Ｙ（及び点線矢印）方向に移動させ、図８に示すように、コードリーダ１１０の読取ヘッド部１１１を充電台１２０のヘッド受部１２２に装着すると共に、充電端子部１１３を端子受部１２３に装着する。このようにコードリーダ１１０を充電台１２０にセットすると、充電端子部１１３は下ケース１１３ｃを介して充電台１２０の押圧部材１２６により保持されると共に、コードリーダ１１０の充電端子１１６と充電台１２０の充電用の端子１２５とが当接し、この状態で充電が行われる。
【発明の開示】
【発明が解決しようとする課題】
【０００８】
しかしながら、上述したように、このコード読取装置１００では充電台１２０のヘッド受部１２２が読取ヘッド部１１１の外形形状に合わせて形成されており、コードリーダ１１０を充電台１２０にセットすると、コードリーダ１１０の読取ヘッド部１１１が充電台１２０の前壁１２１ａと両側壁１２１ｂとにより囲まれた状態となるため、読取ヘッド部１１１の設計変更、例えば読取ヘッド部１１１に無線やダイレクト・パーツ・マーキング（ＤＰＭ）読取り用の照明等の機能を追加する等の設計変更により読取ヘッド部１１１の形状を変更する場合には、この形状に合った充電台１２０を新たに製作しなければならないという欠点があった。当分野では、ユーザーのニーズに応じ、このような機能の拡充等によりコード読取装置１００、とくにコードリーダ１１０の形状を設計変更するケースが度々あるが、その都度、充電台１２０に対しても設計変更し、製作することになると製品のコスト面で問題があった。
【０００９】
また、コードリーダ１１０は、充電端子部１１３側では下ケース１１３ｃの両側面を押圧部材１２６により押圧され、読取ヘッド部１１１側ではヘッド受部１２２に装着されて充電台１２０に保持される構造であったため、このコード読取装置１００を卓上式として使用する場合はともかく、これを壁掛け式として使用する場合等には、コードリーダ１１０が充電台１２０に対して不安定となり、これによりコードリーダ１１０の充電端子１１６と充電台１２０の充電用の端子１２５との接触が弱められ、また地震等により強い振動が与えられるとコードリーダ１１０が充電台１２０から外れてしまうという問題があった。
【００１０】
本発明は、上述のような事情によりなされたものであり、その目的とするところは、コードリーダに対する機能追加等により読取ヘッド部の形状を変更するような場合にも充電台を新たに製作する必要がなく、また、卓上式、壁掛け式の使用形態に拘らず、コードリーダと充電台とを確実にセットできるようにしたコード読取装置を提供することにある。なお、本発明における充電台はコードリーダの載置台としての機能を有するものである。
【課題を解決するための手段】
【００１１】
本発明の上記目的は、頭部のコード情報を読み取る読取ヘッド部と底部の充電端子を有する充電端子部とを本体把持部で連結して成るコードリーダと、前記読取ヘッド部を受容するヘッド受部と、前記充電端子と当接する端子を内部に備え前記充電端子部を受容する端子受部を夫々基体の前方及び後方に配設して成る充電台とにより構成されたコード読取装置において、前記コードリーダにおける前記読取ヘッド部の両側部に係止用突起を設ける一方、前記充電台における前記ヘッド受部の両側壁の内面に前記係止用突起が係合する係合溝を設けて構成したことを特徴とするコードを提供することにより達成される。
【００１２】
また、本発明の上記目的は、前記充電台の前記ヘッド受部は前壁が除去され、前方が開放されて形成されていることを特徴とする記載のコード読取装置を提供することにより、効果的に達成される。
【００１３】
また、本発明の上記目的は、前記充電台の端子受部における後壁の内面側に前記充電端子部に設けられた係止部と係合するフック部材が設けられていることを特徴とするコード読取装置を提供することにより、効果的に達成される。
【００１４】
さらにまた、本発明の上記目的は、前記充電台の係合溝は前記コードリーダの係止用突起をスライドして差し込めるように形成されていることを特徴とするコード読取装置を提供することにより、効果的に達成される。
【発明の効果】
【００１５】
本発明に係るコード読取装置によれば、充電台においてコードリーダの読取ヘッド部を受容するヘッド受部が両側壁のみによって形成され、かつ、この両側壁の内面に前記コードリーダの読取ヘッド部に設けられた係止用突起と係合する係合溝が設けて構成されているので、コードリーダの読取ヘッド部を充電台にしっかり固定し保持することができる。
【００１６】
また、このヘッド受部は前壁が除去されて前方が開放されているので、コードリーダに対する機能追加等により読取ヘッド部の形状を変更する場合、例えば読取ヘッド部の前部を拡張し、この内部に機能追加の部材を収納するような変更を行う場合であっても、充電台を新たに作り直す必要がなく、これにより製品のコストダウンを図ることができる。
【００１７】
さらにまた、コードリーダを充電台にセットすると、コードリーダの読取ヘッド部と充電端子部の両方が充電台に係止されるので、本コード読取装置を壁掛け式として使用する場合であっても、コードリーダが充電台から離脱したり落下したりすることがなく、またコードリーダの充電端子を充電台の端子に確実に当接できる等の優れた効果を奏する。
【発明を実施するための最良の形態】
【００１８】
以下、図面を参照しながら、本発明の最も好ましい実施形態を説明する。なお、以下の説明においては、前述した従来のコード読取装置１００と共通する構成要素には２００番台の同一符号を付して説明する。
【００１９】
図１は、本発明の一実施形態に係るコード読取装置２００の全容を示す説明図で、詳細には、コードリーダ２１０を断面図で示す充電台２２０にセットしたときの正面図である。
後述するように、本コード読取装置２００においては、コードリーダ２１０を充電台２２０にセットしたときに、コードリーダ２１０の読取ヘッド部２１１が充電台２２０のヘッド受部２２２に係止されると共に、コードリーダ２１０の充電端子部２１３が充電台２２０の端子受部２２３に係止されるようになっており、コードリーダ２１０がその前部及び後部の両方で充電台２２０に固定され、保持されるように構成されている。
【００２０】
図２〜図４は、上述のコードリーダ２１０の説明図で、図２はその一部を断面で示す正面図、図３は図２の下面図、図４は図２の左側面図である。
【００２１】
従来のコード読取装置１００におけるコードリーダ１１０と同様に、このコードリーダ２１０は、情報読取窓２１４からカメラユニット２１４ｕを介して読み取ったコード情報を処理する手段を内蔵する読取ヘッド部２１１と、下側にトリガー２１５を有する本体把持部２１２と、内蔵するバッテリィ２１７に接続された充電端子２１６を底部に有する充電端子部２１３とから成り、各部は夫々上ケース２１１ｃ、本体ケース２１２ｃ、下ケース２１３ｃによって被覆されている。図３に示すように、情報読取窓２１４の両側には光拡散シート２１４ｓが設けられている。
【００２２】
読取ヘッド部２１１を被覆する上ケース２１１ｃの下方側、すなわち情報読取窓２１４側の両側部には、読取ヘッド部２１１を充電台２２０のヘッド受部２２２に係止するための係止用突起２１８が設けられている。図３に示すように、この係止用突起２１８の直径Ｄ及び両先端部間の距離Ｗは後述する充電台２２０の係合溝２２７の形状及び寸法によって決定される。
【００２３】
一方、充電端子部２１３を被覆する下ケース２１３ｃの内部においては、図４に示すように、後壁を形成する下蓋２１９の略中央部に左右一対の円形状の充電端子２１６が露出して設けられている。
【００２４】
また、下蓋２１９の下方には突出部２１９ａが設けられており、この突出部２１９ａにより下蓋２１９の外面に切欠き部２１９ｂが形成されている。後述するように、この切欠き部２１９ｂに充電台２２０の端子受部２２３に形成されたフック部材２２８が係止され、これにより充電端子部２１３が充電台２２０の端子受部２２３に固定、保持されるようになっている。
【００２５】
なお、上述したコードリーダ２１０の本体に内蔵された情報処理手段等の構成、並びに、コードリーダ２１０自体の使用方法等は周知であるので、ここでの説明は省略する。
【００２６】
図５及び図６は、上述の充電台２２０の説明図で、図５はその全容を示す斜視図、図６は図５のＢ−Ｂ断面図である。
【００２７】
本充電台２２０は、従来のコード読取装置１００における充電台１２０と同様に、基体２２１の一端（前方）側にコードリーダ２１０の読取ヘッド部２１１を受容するヘッド受部２２２を、他端（後端）側にはコードリーダ２１０の充電端子部２１３を受容する端子受部２２３を夫々備えて成っている。
【００２８】
ヘッド受部２２２は、前述した従来の充電台１２０におけるヘッド受部１２２とは異なり、前壁が除去されて前方が開放され、両側壁２２１ｂのみによって構成されている。この両側壁２２１ｂの内面には読取ヘッド部２１１に設けられた前述の係止用突起２１８が係合する係合溝２２７が形成されている。
【００２９】
図６に示すように、この係合溝２２７は開口部２２７ａが斜め上方に広く開口され、この開口部２２７ａから水平方向前方に間隙Ｄ１を有する溝２２７ｂが形成されている。また、図５に示すように、両係合溝２２７間は距離Ｗ１に設定されている。
【００３０】
ここに、溝２２７ｂの間隙Ｄ１は上述の係止用突起２１８の直径Ｄより幾分大きく設定され、同様に、両係合溝２２７間の距離Ｗ１は係止用突起２１８の先端間の距離Ｗより幾分大きく設定されている。これにより、コードリーダ２１０の読取ヘッド部２１１に設けられた係止用突起２１８が斜め上方から開口部２２７ａに向けて装着され、溝２２７ｂに沿ってスライドして所定の位置で固定され、かくしてコードリーダ２１０の読取ヘッド部２１１が両係合溝２２７に係止されるようになっている。
【００３１】
一方、端子受部２２３は、基体２２１の後方において、基体２２１の後壁２２１ｄ及び両側壁２２１ｅによって形成されている。
【００３２】
図６に示すように、後壁２２１ｄの内面上方には板バネにより側断面がＶ字状に形成された充電用の端子２２５が露出して設けられ、この下方の中央部には空隙２２９が形成されている。この空隙２２９の内部には上述したコードリーダ２１０の下蓋２１９に形成された切欠き部２１９ｂと係合するフック部材２２８が設けられている。このフック部材２２８は、先端部にフックが形成されたフック本体２２８ａの下方に引張りコイルバネ２２８ｃが設けられ、フック本体２２８ａが中央部に挿通された固定ピン２２８ｂを中心に回動して先端部のフックが空隙２２９から出入するように構成されている。なお、後壁２２１ｄの外面側には電源コード２２４が接続されるようになっている。
【００３３】
端子受部２２３には、コードリーダ２１０の充電端子部２１３を受容する傾斜壁２２１ｈが設けられている。この傾斜壁２２１ｈの形状や傾斜角はコードリーダ２１０の下ケース２１３ｃの形状に合わせて設定され、コードリーダ２１０を充電台２２０にセットしたときに下ケース２１３ｃがこの傾斜壁２２１ｈにぴったり装着されるようになっている。
【００３４】
なお、充電台２２０の基体２２１は、樹脂成型により軽量かつ強固に作られており、以上のとおり構成された充電台２２０は、基体２２１に透設されたネジ穴２２１ｇを介してネジ止めされることにより卓上あるいは壁等に固定される。
【００３５】
以上のとおり構成された本コード読取装置２００において、コードリーダ２１０の充電を行う場合には、先ず、コードリーダ２１０の本体把持部２１２を把持して、読取ヘッド部２１１の上ケース２１１ｃに設けられた係止用突起２１８を、上述したように充電台２２０のヘッド受部２２２に形成された係合溝２２７に装着し、その後、充電端子部２１３の下ケース２１３ｃを充電台２２０の端子受部２２３に形成された傾斜壁２２１ｈに沿って装着する。このように充電端子部２１３を装着するまでの間、充電台２２０の端子受部２２３に形成されたフック部材２２８は、図６に点線で示すように後退した状態にある。
【００３６】
充電端子部２１３が端子受部２２３に完全に装着されると、コードリーダ２１０の充電端子２１６が充電台２２０の充電用の端子２２５に当接すると共に、コードリーダ２１０の下蓋２１９に形成された切欠き部２１９ｂにフック部材２２８のフックが引張りコイルバネ２２８ｃのバネ力によって嵌め込まれ、係止される。図１は、このようにしてコードリーダ２１０が充電台２２０にセットされた状態を示したものである。なお、充電後には上述と逆の動作を行うことによりコードリーダ２１０が充電台２２０から取り外される。
【００３７】
以上のとおり、本コード読取装置２００においては、充電台２２０の前壁が除去され前方が開放されて構成されているので、コードリーダ２１０に対する機能追加等により読取ヘッド部２１１の形状を変更する場合、例えば図１に仮想線Ｌで示すように読取ヘッド部２１１を前方に拡張する場合であっても、充電台２２０を新たに作り直す必要がない。
【００３８】
また、コードリーダ２１０を充電台２２０にセットすると、コードリーダ２１０の読取ヘッド部２１１と充電端子部２１３の両方が充電台２２０に係止、保持されるので、本コード読取装置２００を壁掛け式として使用する場合であっても、コードリーダ２１０が充電台２２０から離脱したり落下したりすることがなく、またコードリーダ２１０の充電端子２１６を充電台２２０の充電用の端子２２５に確実に当接することができる。
【００３９】
以上、本発明の内容を一実施形態に基づき説明したが、本発明は必ずしも前記実施形態に限られるものではなく、特許請求の範囲を逸脱しない範囲においてなされた単なる構成の変更ないし改良は、本発明の技術的範囲に含まれることはいうまでもない。
【図面の簡単な説明】
【００４０】
【図１】本発明の一実施形態に係るコード読取装置の全容を示す正面図である。
【図２】図１のコード読取装置におけるコードリーダの一部断面正面図である。
【図３】図２のコードリーダの下面図である。
【図４】図２のコードリーダの左側面図である。
【図５】図１のコード読取装置における充電台の全容を示す斜視図である。
【図６】図５の充電台のＢ−Ｂ断面図である。
【図７】従来のコード読取装置の充電前の状態を示す正面図である。
【図８】図７のコード読取装置の充電時の状態を示す正面図である。
【図９】図７のコード読取装置のＡ−Ａ矢視図（充電台の上面図）である。
【符号の説明】
【００４１】
１００、２００              コード読取装置
１１０、２１０              コードリーダ
１１１、２１１              読取ヘッド部
１１１ｃ、２１１ｃ          上ケース
１１２、２１２              本体把持部
１１２ｃ、２１２ｃ          本体ケース
１１３、２１３              充電端子部
１１３ｃ、２１３ｃ          下ケース
１１４、２１４              情報読取窓
１１５、２１５              トリガー
１１６、２１６              充電端子
１１７、２１７              バッテリィ
１２０、２２０              充電台
１２１、２２１              基体
１２１ａ                    前壁
１２１ｂ、２２１ｂ          側壁
１２１ｃ、１２１ｆ          凹部
１２１ｄ、２２１ｄ          後壁
１２１ｅ、２２１ｅ          側壁
１２１ｇ、２２１ｇ          ネジ穴
１２２、２２２              ヘッド受部
１２３、２２３              端子受部
１２４、２２４              電源コード
１２５、２２５              端子
１２６                      押圧部材
２１４ｕ                    カメラユニット
２１８                      係止用突起
２１９                      下蓋
２１９ａ                    突出部
２１９ｂ                    切欠き部
２２１ｈ                      傾斜壁
２２７                      係合溝
２２７ａ                    開口部
２２７ｂ                    溝
２２８                      フック部材
２２８ａ                    フック本体
２２８ｂ                    固定ピン
２２８ｃ                    引張りコイルバネ
２２９                      空隙
Ｄ                          （係止用突起２１８の）直径
Ｄ１                        （溝２２７ｂの）間隙
Ｗ                          （係止用突起２１８先端間の）距離
Ｗ１                        （係合溝２２７間の）距離
【図１】
0005131829.tif 000002
【図２】
0005131829.tif 000003
【図３】
0005131829.tif 000004
【図４】
0005131829.tif 000005
【図５】
0005131829.tif 000006
【図６】
0005131829.tif 000007
【図７】
0005131829.tif 000008
【図８】
0005131829.tif 000009
【図９】
0005131829.tif 000010